(57)【要約】【課題】簡素な構成で高い防水性を確保することができる収納ユニットを提供する。【解決手段】収納ユニット１の筐体３の外面１０には、少なくとも一対の電極４，５を有する電極部６が設けられている。一対の電極４，５の間には隙間が形成され、一対の電極４，５の間に電位差を有するように電圧Ｖｃが印加される。筐体３の外面１０において水が電極４，５の間に跨って付着すると、電極４，５の間で短絡が生じる。これにより、水に大電流が流れて発熱し、蒸発する。【選択図】図１
2018129333.tif 000002
【特許請求の範囲】
【請求項１】
電子機器を収納可能な筐体と、
前記筐体の外面に設けられた少なくとも一対の電極であって、一対の電極間に隙間を有し、当該一対の電極間に電位差を有するように電圧が印加される電極部と
を備えたことを特徴とする収納ユニット。
【請求項２】
前記筐体の内部に収納される前記電子機器を外部と電気的に繋げるコネクタ部を備え、
一対の前記電極は、前記筐体の外面から前記コネクタ部へと至る経路上に配置されている
請求項１に記載の収納ユニット。
【請求項３】
一対の前記電極は、前記コネクタ部の端子を通じて電圧が印加される
請求項２に記載の収納ユニット。
【請求項４】
一対の前記電極の組は、複数設けられている
請求項１〜３のうちいずれか一項に記載の収納ユニット。
【請求項５】
前記隙間は、前記筐体の外面に付着する水の径よりも小さく設定されている
請求項１〜４のうちいずれか一項に記載の収納ユニット。
【発明の詳細な説明】
【技術分野】
【０００１】
本発明は、電子機器を収納可能な収納ユニットに関する。
【背景技術】
【０００２】
従来、電子機器の一例であるＥＣＵは、例えば収納ユニットの内部に収納されて製品化されている。この種の収納ユニットとして、降雨センサによって降雨を検出すると、電熱線を通電して発熱し、この熱により雨滴を蒸発させる技術が開示されている（特許文献１等参照）。
【先行技術文献】
【特許文献】
【０００３】
【特許文献１】特開２０１２−１１４１７７号公報
【発明の概要】
【発明が解決しようとする課題】
【０００４】
特許文献１は、降雨センサで降雨を検出したことをトリガに、電熱線を通電して雨滴を蒸発させる構成である。よって、電子機器への防水性を確保するには、降雨センサが別途必要となってしまう問題があった。
【０００５】
本発明の目的は、簡素な構成で高い防水性を確保することができる収納ユニットを提供することにある。
【課題を解決するための手段】
【０００６】
前記問題点を解決する収納ユニットは、電子機器を収納可能な筐体と、前記筐体の外面に設けられた少なくとも一対の電極であって、一対の電極間に隙間を有し、当該一対の電極間に電位差を有するように電圧が印加される電極部とを備えた。
【０００７】
本構成によれば、一対の電極間に電位差を発生させ、一対の電極間の隙間に水が付着し、これが一対の電極間に跨ると、一対の電極間で短絡が生じる。これにより、水に大電流が流れて発熱し、水が蒸発する。このため、水が筐体内に入り込んでしまう状況を低く抑えることが可能となるので、収納ユニットの防水性を確保することが可能となる。また、一対の電極間に水が跨って付着すると蒸発する構成であるので、水を検知するためのセンサを別途必要としない。よって、簡素な構成で高い防水性を確保することが可能となる。
【０００８】
前記収納ユニットにおいて、前記筐体の内部に収納される前記電子機器を外部と電気的に繋げるコネクタ部を備え、一対の前記電極は、前記筐体の外面から前記コネクタ部へと至る経路上に配置されていることが好ましい。この構成によれば、筐体の外面に付着した水がコネクタ部に流れていったとしても、その途中で一対の電極により蒸発させることが可能となる。よって、コネクタ部に水を至り難くすることが可能となり、収納ユニットの防水性を確保するのに一層有利となる。
【０００９】
前記収納ユニットにおいて、一対の前記電極は、前記コネクタ部の端子を通じて電圧が印加されることが好ましい。この構成によれば、コネクタ部に設けられた端子を利用して電極に電圧を供給することが可能となる。
【００１０】
前記収納ユニットにおいて、一対の前記電極の組は、複数設けられていることが好ましい。この構成によれば、筐体の外面に付着した水を電極蒸発させられる箇所を多くとることが可能となるので、収納ユニットの防水性の確保に一層有利となる。
【００１１】
前記収納ユニットにおいて、前記隙間は、前記筐体の外面に付着する水の径よりも小さく設定されていることが好ましい。この構成によれば、一対の電極間の隙間を、筐体の外面に付着すると予想される水の径よりも小さくした。このため、筐体の外面に付着した水を、より確実に電極によって蒸発させることが可能となる。
【発明の効果】
【００１２】
本発明によれば、電子機器を収納する収納ユニットにおいて、簡素な構成で高い防水性を確保することができる。
【図面の簡単な説明】
【００１３】
【図１】一実施形態の収納ユニットを正面側から見た斜視図。
【図２】収納ユニットを背面側から見た斜視図。
【図３】収納ユニットの側面図。
【図４】一対の電極が水を蒸発させるときの作用図。
【図５】（ａ），（ｂ）は別例の収納ユニットの斜視図。
【図６】他の別例の収納ユニットの側面図。
【発明を実施するための形態】
【００１４】
以下、収納ユニットの一実施形態を図１〜図４に従って説明する。
図１及び図２に示すように、収納ユニット１は、電子機器２を収納可能な筐体３と、筐体３の外面に付着した水（水滴）を蒸発可能な少なくとも一対の電極４，５を有する電極部６と、筐体３の内部に収納される電子機器２を外部と電気的に繋げるコネクタ部７とを備える。電子機器２は、例えばＥＣＵ（Electronic Control Unit）であることが好ましい。
【００１５】
筐体３は、例えば樹脂製の箱状（平らな箱形状）に形成されている。箱状の筐体３は、６つの外面１０を有する形状をとっている。本例の場合、筐体３は、広面積の一対の外面１０ａ，１０ｂと、これら外面１０ａ，１０ｂを繋ぐ４つの外面１０ｃ，１０ｄ，１０ｅ，１０ｆとを有する。これら外面１０ａ〜１０ｆのうち、外面１０ｃにコネクタ部７が配置されている。コネクタ部７には、複数の端子１２が設けられ、これら端子１２が電子機器２及び電極４，５に接続されている。
【００１６】
電極部６において一対の電極４，５の組は、複数組（本例は３組）設けられている。一対の電極４，５は、筐体３の外面１０（本例は外面１０ａ〜１０ｄ）から前記コネクタ部７へと至る経路上に配置されている。一対の電極４，５は、コネクタ部７の端子１２を通じて電圧が印加され、例えば一方の電極４に電圧Ｖｃ（例えばバッテリ電圧）が印加され、他方の電極５がＧＮＤに接地されている。一対の電極４，５の複数の組は、電極４，５の長手方向がコネクタ部７の抜き挿し方向（図１の矢印Ａ方向）と直交する方向に沿うように配置されている。一対の電極４，５は、筐体３の外面１０（本例は外面１０ａ〜１０ｄ）において周状に形成されている。
【００１７】
図３に示すように、一対の電極４，５の間には、所定の隙間Ｗが設定されている。この隙間Ｗは、筐体３の外面１０（本例は１０ａ〜１０ｄ）に付着する水（水滴）の径よりも小さく設定されている。隙間Ｗは、例えば１ｍｍ〜３ｍｍの範囲の値に設定されていることが好ましい。さらに好ましくは、隙間Ｗは、２ｍｍ程度の値に設定されているとよい。
【００１８】
次に、図４を用いて、本発明の実施例である収納ユニット１の作用及び効果を説明する。
図４に示すように、一対の電極４，５の間に水（水滴）が付着したとする。収納ユニット１の使用状態では、電極４，５の間に電圧が生じるように電極４，５に電圧が印加されているので、電極４，５に跨って水が付着すると、電極４，５の間で短絡が生じる。これにより、水に大電流が流れて発熱し、この発熱によって水が蒸発する。このように、本例の場合、筐体３の外面１０に水が付着したとしても、これを電極発熱によって排水するので、水がコネクタ部７に至り難くなる。よって、筐体３の内部に収納された電子機器２の防水性を確保することができる。
【００１９】
また、本例の場合、一対の電極４，５の間に水が跨って付着すると蒸発する構成であるので、水の付着有無を検知するためのセンサを別途必要としない。よって、簡素な構成で高い防水性を確保することができる。
【００２０】
一対の電極４，５は、筐体３の外面１０からコネクタ部７へと至る経路上に配置されている。このため、筐体３の外面１０に付着した水がコネクタ部７に流れていったとしても、その途中で一対の電極４，５により蒸発させることが可能となる。よって、コネクタ部７に水を至り難くすることが可能となり、収納ユニット１の防水性を確保するのに一層有利となる。
【００２１】
一対の電極４，５は、コネクタ部７の端子１２を通じて電圧が印加される。よって、コネクタ部７に設けられた端子１２を利用して、電極４，５に電圧を供給することができる。
【００２２】
一対の電極４，５の組は、複数設けられている。よって、筐体３の対面に付着した水を電極蒸発させられる箇所を多くとることが可能となるので、収納ユニット１の防水性の確保に一層有利となる。
【００２３】
電極４，５の間の隙間Ｗは、筐体３の外面１０に付着する水の径よりも小さく設定されている。このように、一対の電極４，５の間の隙間Ｗを、筐体３の外面１０に付着すると予想される水の径よりも小さくすれば、筐体３の外面１０に付着した水を、より確実に電極４，５で検知して蒸発させることができる。
【００２４】
一対の電極４，５の複数組は、電極４，５の長手方向がコネクタ部７の抜き挿し方向（図１の矢印Ａ方向）と直交する方向に沿うように配置されている。このため、筐体３の外面１０に付着した水がコネクタ部７に流れていったとしても、水がコネクタ部７に至る前で電極４，５に付着させて蒸発させることが可能となる。よって、収納ユニット１の防水性の確保に一層有利となる。
【００２５】
一対の電極４，５は、筐体３の外面１０において周状に形成されている。よって、筐体３の複数の外面１０に亘って電極４，５が配置されるので、収納ユニット１の防水性の確保に一層有利となる。
【００２６】
なお、実施形態はこれまでに述べた構成に限らず、以下の態様に変更してもよい。
・図５（ａ），（ｂ）に示すように、一対の電極４，５は、筐体３の外面１０の全てに設けられてもよい。この場合、高い防水効果を得るのに有利となる。
【００２７】
・図６に示すように、電極４，５の組は、外面１０に点在するようにスポット状に形成されてもよい。図６の例は、行及び列の各方向に整列した配列をとっており、隣同士とは電位が異なる並びに配置されている。この場合も、高い防水効果を得るのに有利となる。
【００２８】
・電極４，５の組を複数設ける場合、各組で電極４，５の形状を異なるものとしてもよい。
・一対の電極４，５は、一方に電圧Ｖｃが印加され、他方がＧＮＤに接地されることで、電位差を発生することに限定されない。すなわち、電極４，５の片側がＧＮＤに接地されて電位差が生じる構成に限らず、電極４，５の間には、所定の電位差が生じる状態となっていればよい。
【００２９】
・電極４，５の間の隙間Ｗは、種々の値に変更できる。
・一対の電極４，５は、コネクタ部７の端子１２から電圧を取得することに限定されず、例えば端子１２を介さずに直に電圧が入力されてもよい。
【００３０】
・電極４及び電極５は、同じ形状とされることに限定されず、これらを互いに異なる形状に形成してもよい。
・電極部６において電極４，５の組は、複数設けられることに限らず、１つのみとしてもよい。
【００３１】
・筐体３の形状は、直方体形状に限定されず、例えば円柱等の他の形状に変更してもよい。
・収納ユニット１は、例えば内部にアンテナが収納されたユニットでもよい。
【００３２】
・収納ユニット１は、例えば内部にモータやソレノイド等のアクチュエータが収納されたユニットとしてもよい。
・電子機器２は、実施例で述べたＥＣＵに限らず、種々の部材に変更可能である。
【００３３】
・収納ユニット１は、コネクタ部７が省略された形状としてもよい。
・収納ユニット１は、種々の装置や機器に適用可能である。
【符号の説明】
【００３４】
１…収納ユニット、２…電子機器、３…筐体、４，５…電極、６…電極部、７…コネクタ部、１０（１０ａ〜１０ｆ）…外面、１２…端子。
【図１】
2018129333.tif 000003
【図２】
2018129333.tif 000004
【図３】
2018129333.tif 000005
【図４】
2018129333.tif 000006
【図５】
2018129333.tif 000007
【図６】
2018129333.tif 000008